(57)【要約】      （修正有）【課題】必要な書類や筆記用具等を記入用紙と共に収納して持ち歩くことが可能なクリップボードを提供する。【解決手段】板体２の上方に設けたクリップ式の挟持部３及び板体の背面２ｂに設けた袋状の収納部４から構成され、収納部４は袋状の本体の上部に折返し片４ａを設け、折返し片は面ファスナー等の係止テープ或いは係止ボタン等の係止部材により係止することができることを特徴とするクリップボード１の構成及びクリップボードを構成する収納部を本体の上辺に差し込み片を設け、前記本体の上部に設けた折返し片には先端に突出した差し込み片を設け、前記差し込み片を本体上辺の差し込み孔に差し込むことで、折返し片を本体に係止することができる収納部としたことを特徴とする。【選択図】図１
0003140325.tif 000002
【実用新案登録請求の範囲】
【請求項１】
板体と、前記板体の上方に設けたクリップ式の挟持部と、前記板体の背面に設けた袋状の収納部とからなり、前記収納部の上部に折返し片を設けるとともに前記折返し片４ａに係止テープ又は係止ボタンを設けたことを特徴とするクリップボード。
【請求項２】
折返し片に差し込み片を設けるとともに両端にマチを設けた収納部の本体の上辺に前記差し込み片を差し込むための差し込み孔を設けたことを特徴とする請求項１に記載のクリップボード。
【考案の詳細な説明】
【技術分野】
【０００１】
本考案は、背面に収納部を設けることでメモや書類、筆記用具等を収納することができるクリップボードに関するものである。
【背景技術】
【０００２】
従来、クリップボードは筆記板となる板体の上方にクリップを備えた挟持部を設け、前記挟持部に挟んで保持した紙片やノート等の記入用紙に記入をする際等に使用されるものであるが、単に板体に挟持部を取り付けたにすぎないものであるため、挟持部に保持した紙片等以外のメモや書類を一緒に持ち歩くための収納部等は設けられておらず、大きさの違う紙片を挟持部に挟んでいると、小さい紙片が落ちやすくなる場合がある。
【０００３】
このような収納部が設けられていないという課題を解決するものとしては、特許文献１に記載の通りに、挟着クリップを箱形のケース状にすることで、前記ケース状の挟着クリップ内に筆記具等の文房具を収納することができる多機能クリップボードが提案されている。
【０００４】
しかしながら、前記の多機能クリップボードでは、箱形ケース状の挟着クリップ内に収納することのできないもの、例えばメモや書類等を収納することはできず、紙片や書類等を一緒に持ちたいときには記入用紙と共に挟着クリップで挟持するほかないので、メモや書類等が必要な場合には不便である。
【特許文献１】登録実用新案公報第３０６４００３号
【考案の開示】
【考案が解決しようとする課題】
【０００５】
そこで、本考案は、必要な書類や筆記具等を一緒に収納して持ち歩くことが可能なクリップボードを提供することを目的としたものである。
【課題を解決するための手段】
【０００６】
本考案は、上記の課題を解決するために、板体２と、前記板体２の上方に設けたクリップ式の挟持部３と、前記板体２の背面２ｂに設けた袋状の収納部４とからなり、前記収納部４の上部に折返し片４ａを設けるとともに前記折返し片４ａに係止テープ５、５ａ又は係止ボタン８、８ａを設けたことを特徴とするクリップボード１の構成とした。
【０００７】
また、板体１０の背面に設けた袋状の収納部１２を本体１２ｃの上辺に差し込み孔１２ｄを設け、前記本体１２ｃの上部に設けた折返し片１２ａには先端に突出した差し込み片１２ｂを設け、前記差し込み片１２ｂを本体上辺の差し込み孔１２ｄに差し込むことで、折返し片１２ａを本体１２ｃに係止することができる収納部としたことを特徴とするクリップボード９の構成とした。
【考案の効果】
【０００８】
本考案は、板体の背面に設けた袋状の収納部に必要な書類やメモ、筆記用具等を収納することができ、前記収納部の開口部は面ファスナー等の係止テープや係止ボタン等を用いて折返し片を係止することで開口部を閉じることができるので、収納部内に収納した紙片や筆記用具を落とす不安もなく、持ち歩くことが可能となる。
【考案を実施するための最良の形態】
【０００９】
本考案であるクリップボードは、筆記板となる板体の正面上方には記入用紙を挟持するための挟持部を設け、板体の背面には必要な資料やメモ等の紙片、筆記用具等を収納することができる収納部を設け、前記収納部の開口部は面ファスナー等の係止テープ或いは係止ボタン等の係止部材を用いて折返し片と本体を係止することで閉じることができるので、収納部に収納した紙片や筆記用具を落とすことがない。
【実施例１】
【００１０】
図１は本考案であるクリップボードの正面から見た斜視図、図２は本考案であるクリップボードの背面から見た斜視図である。図１及び図２に示すように、本考案であるクリップボード１は、板体２、前記板体２の上方に設けた挟持部３及び板体２の背面に設けた収納部４から構成されている。
【００１１】
本考案であるクリップボード１を構成する板体２の正面２ａは筆記板として使用するので、筆記板として足るだけの厚み及び固さを有するものである。前記板体２の正面２ａには上方中央部にクリップ式の挟持部３が設けられている。
【００１２】
前記挟持部３は、固定板３ａを介して回動部３ｂ及び挟持部材３ｃが板体２に固定されている。バネ式の回動部３ｂにより、挟持部材３ｃが上下に回動し、固定板３ａと挟持部材３ｃの間に記入用紙を挟んで保持する。
【００１３】
図２に示すように、本考案であるクリップボード１を構成する板体２の背面２ｂには収納部４が設けられている。収納部４は袋状の本体４ｂの上部に折返し片４ａが設けられており、折返し片４ａの縁辺及び本体４ｂの上方には面ファスナー等の互いに係止する係止テープ５、５ａが取り付けられている。
【００１４】
収納部４の上方に設けた折返し片４ａを本体４ｂ方向に折り返して、折返し片４ａに取り付けた係止テープ５と本体４ｂに取り付けた係止テープ５ａを係止させることで、収納部４の開口部を閉じることができる。
【００１５】
図３は本考案であるクリップボードの使用状態を示す正面斜視図、図４は本考案であるクリップボードの使用状態を示す背面斜視図である。図３に示すように、本考案であるクリップボード１を使用する際には、筆記板となる板体２の表面２ａに記入用紙を取り付けて使用する。
【００１６】
その際には、板体２の上方に設けた挟持部３の挟持部材３ｃを上方向に回動させてできた隙間に記入用紙６を載置し、挟持部材３ｃを元の位置に戻すことで、挟持部３に記入用紙６が挟まれ保持される。
【００１７】
図４に示すように、本考案であるクリップボード１の板体２の背面２ｂに設けた袋状の収納部４には必要な資料７や紙片７ａ等の紙類、更にはボールペンや鉛筆等の筆記具７ｂ等を収納することができる。
【００１８】
収納部４の本体４ｂに必要な紙片７ａや筆記具７ｂ等を収納したら、図４中の矢印で示したように折返し片４ａを本体４ｂ側に折り返し、互いに係止する折返し片４ａに取り付けた係止テープ５と本体４ｂに取り付けた係止テープ５ａを係止させることで、本体４ｂの開口部を閉じることができる。それにより、収納部４内に収納したものが落ちる心配がなくなる。
【００１９】
図５は本考案であるクリップボードの使用状態を示す背面斜視図である。図５に示すように、本考案であるクリップボード１を構成する板体２の背面２ｂに設けた収納部４では、折返し片４ａを折り返して本体４ｂの開口部を閉じる係止手段として、図４までに示した係止テープ５、５ａに限らず、図５に示したような係止ボタン８、８ａを用いてもよい。
【００２０】
折返し片４ａの左右に係止ボタン８、８を取り付け、本体４ｂの左右上方には前記係止ボタン８、８と係合する係止ボタン８ａ、８ａをそれぞれ取り付ける。そして、折返し片４ａを本体４ｂ側に折り返して、互いに係合する係止ボタン８、８ａを係合させて本体４ｂの開口部を閉じることができる。
【実施例２】
【００２１】
図６は本考案であるクリップボードの第２実施例の正面斜視図、図７は本考案であるクリップボードの第２実施例の背面斜視図、図８は本考案であるクリップボードの第２実施例の使用状態を示す背面斜視図である。図６から図８に示すように、本考案であるクリップボード９が板体１０、挟持部１１、収納部１２から構成されている点は、図５までに示した第一実施例のクリップボード１と同様である。
【００２２】
図７に示すように、クリップボード９を構成する板体１０の背面１０ｂに設けた収納部１２は、本体１２ｃの上辺に長方形の差し込み孔１２ｄが穿設され、本体１２ｃの上部に設けた折返し片１２ａの先端には突出するように差し込み片１２が設けられている。また、本体１２ａの両端にはマチ１２ｅ、１２ｅが設けられているので、開口部が広げやすく、収納部内に書類や筆記具等を収納しやすい。
【００２３】
図７中に示した矢印及び図８の使用状態を示す背面斜視図に示したように、本考案の第二実施例であるクリップボード９では、収納部１２の開口部を閉じる際に、収納部１２の上部に設けた折返し片１２ａを本体１２ｃ方向に折り返し、折返し片１２ａの先端に設けた差し込み片１２ｂを本体に設けた差し込み孔１２ｄに差し込むことで折返し片１２ａを本体１２ｃに係止し、開口部を閉じることができる。
【図面の簡単な説明】
【００２４】
【図１】本考案であるクリップボードの第１実施例の正面斜視図である。
【図２】本考案であるクリップボードの第１実施例の背面斜視図である。
【図３】本考案であるクリップボードの第１実施例の使用状態を示す正面斜視図である。
【図４】本考案であるクリップボードの第１実施例の使用状態を示す背面斜視図である。
【図５】本考案であるクリップボードの第１実施例の使用状態を示す背面斜視図である。
【図６】本考案であるクリップボードの第２実施例を示す正面斜視図である。
【図７】本考案であるクリップボードの第２実施例を示す背面斜視図である。
【図８】本考案であるクリップボードの第２実施例の使用状態を示す背面斜視図である。
【符号の説明】
【００２５】
１          クリップボード
２          板体
２ａ        正面
２ｂ        背面
３          挟持部
３ａ        固定板
３ｂ        回動部
３ｃ        挟持部材
４          収納部
４ａ        折返し片
４ｂ        本体
５、５ａ    係止テープ
６          記入用紙
７          資料
７ａ        紙片
７ｂ        筆記具
８          係止ボタン
９          クリップボード
１０          板体
１０ａ        正面
１０ｂ        背面
１１          挟持部
１１ａ        固定板
１１ｂ        開口部
１１ｃ        挟持部材
１２          収納部
１２ａ        折返し片
１２ｂ        差し込み片
１２ｃ        本体
１２ｄ        差し込み孔
１２ｅ        マチ
【図１】
0003140325.tif 000003
【図２】
0003140325.tif 000004
【図３】
0003140325.tif 000005
【図４】
0003140325.tif 000006
【図５】
0003140325.tif 000007
【図６】
0003140325.tif 000008
【図７】
0003140325.tif 000009
【図８】
0003140325.tif 000010